(57)【要約】【課題】微細模様を付した全体として金属感を有する装飾体を、コストを抑えて提供する。【解決手段】本発明に係る装飾体は、基材と、基材の表面に塗布された塗料層と、塗料層の少なくとも一部の表面に印刷された複数の印刷要素と、塗料層と印刷要素との表面を覆う金属被膜層と、を備え、印刷要素の表面は、表面粗さが塗料層の表面よりも粗い。【選択図】図１
2019093560.tif 000002
【特許請求の範囲】
【請求項１】
基材と、
該基材の表面に塗布された塗料層と、
該塗料層の少なくとも一部の表面に印刷された複数の印刷要素と、
前記塗料層と前記印刷要素との表面を覆う金属被膜層と、を備え、
前記印刷要素の表面は、
表面粗さが前記塗料層の表面よりも粗い、装飾体。
【請求項２】
前記金属被膜層に覆われた前記印刷要素は、
前記基材の表面に平行である少なくとも１方向において、
隣の前記金属被膜層に覆われた前記印刷要素と間隔を持って配置され、複数集合して装飾模様を構成する、請求項１に記載の装飾体。
【請求項３】
隣の前記金属被膜層に覆われた前記印刷要素との間の距離は、
前記金属被膜層に覆われた前記印刷要素の高さ以上であり、高さの４倍以下である、請求項１又は２に記載の装飾体。
【請求項４】
前記金属被膜層に覆われた前記印刷要素の前記基材の表面に平行方向の大きさは、
前記金属被膜層に覆われた前記印刷要素の高さ以下である、請求項１〜３の何れか１項に記載の装飾体。
【請求項５】
前記印刷要素は、
複数のインキ層により構成される、請求項１〜４の何れか１項に記載の装飾体。
【請求項６】
複数の前記印刷要素が配置されている領域である印刷部は、
前記インキ層の数が異なる複数の領域を有する、請求項５に記載の装飾体。
【請求項７】
複数の前記印刷要素が配置されている領域である印刷部は、
前記印刷要素の間隔が異なる複数の領域を有する、請求項１〜６の何れか１項に記載の装飾体。
【請求項８】
前記印刷要素は、
前記基材の表面方向の寸法が１〜４μｍである、請求項１〜７の何れか１項に記載の装飾体。
【発明の詳細な説明】
【技術分野】
【０００１】
本願発明は、金属感を有する装飾模様を施した装飾体に関するものである。
【背景技術】
【０００２】
従来、少なくとも装飾面に金属感を有する装飾模様を施す手法は極めて多く、また、それにより装飾模様を施された製品も多種にまたがっている。
すなわち、金属個体の表面をスクラッチやブラッシング等により部分的に模様を形成する方法や、金属メッキ、金属真空蒸着、金属イオンプレーティング、金属箔貼付等により個体表面を先ず金属表面として、更にその表面をマスキングを介してエッチング、液体ホーニング、サンドブラシングなどにより装飾模様を付す方法などが広く行われている。
しかしながら、これら従来の金属表面に装飾模様を付す場合、少なからぬ大がかりな設備を要したり、特にマスキングについては技術的にも難しく色々な開発が行なわれている。特に微細な模様を対象とする微細装飾については、さらにマスキング技術も難しく、また美術的にもかなり高度の手法を求められ、過去色々な手法によりこれを実現しようとする試みが行われている。
【０００３】
例えば、特許文献１においては、「１）被装飾面に部分的に所定印刷インキまたは塗料による微細な色彩模様の印刷を施す第１工程と、前記色彩模様の印刷部分を含め被装飾面に全面に、所定の金属無電解メッキ、金属真空蒸着または金属イオンプレーティングのいずれか１種による被覆を施す第２工程により金属表面に２トーン模様を表示するものである。２）また、上述の１）において、前記所定印刷インキによる微細な色彩模様印刷の表面の適度の表面アラサを有するもの」が開示されている。このような構成により、金属感があり、装飾模様が施された装飾体が得られる。
【０００４】
特許文献２においては、「鏡面光沢度の高い不透明基材上に、微小な凹凸を有する所望の印刷模様層を形成し、次いで該模様層側に金属蒸着層を施し、上記模様層上の鏡面光沢度を５０％以下とし、また模様層以外の部分の鏡面光沢度を７０％以上とする疑似エッチング模様形成法」であって、「基材に対し下塗り塗料等の処理を施した基材を用い」たものが開示されている。このような構成により、基材の表面に鏡面光沢度の異なる部分を形成し、疑似エッチング模様を形成することができる。
【０００５】
特許文献３においては、「ＪＩＳＢ０６０１に準拠する表面粗さ（１０点平均あらさＲｚ）が２μ未満の合成樹脂製不透明フィルムよりなる基材シートの前記表面に、その全面または部分的に艶消しコート層を形成し、次いで、前記艶消しコート層を有する面に、艶消しコート層が印刷模様層の地部分になるように、かつ、印刷模様層面の前記Ｒｚが１０μ以下となるように、階調印刷模様層を形成し、しかる後に、前記階調印刷模様層を有するその全面に金属蒸着層を形成することにより、金属蒸着層表面の光沢度が抑えられている外観を有する化粧材を得ることを特徴とする化粧材の製造方法」が開示されている。このような構成により、金属蒸着層表面の光沢度が抑えられている外観を有する化粧材を得ることができる。
【先行技術文献】
【特許文献】
【０００６】
【特許文献１】特開２００７−１３０６００号公報
【特許文献２】特開昭５７−１７７９７３号公報
【特許文献３】特開昭６１−１２３３７号公報
【発明の概要】
【発明が解決しようとする課題】
【０００７】
しかし、特許文献１に開示されている装飾体の製造方法においては、印刷されていない部分と印刷部分の表面粗さの差は、印刷される素材の表面粗度に依存するため、所望の装飾模様を得るには、印刷される面を初めから所定の面粗度を有する素材を選択するか、又は素材に後加工することにより所定の面粗度を得る必要があった。その場合、例えば柔軟性、可撓性を必要とする装飾体の場合には、後加工が困難であり、素材の樹脂成形により作られる成形品の表面粗度に装飾模様のできばえが依存してしまうという課題があった。また、素材の表面に微小な傷等がついていた場合に、金属被膜を被覆した後に装飾模様とともにその傷部分が浮き出てしまい、外観不良となってしまう。素材に微小な傷が入っただけで、素材が使用不能となってしまい、ひいては装飾模様を施した金属感のある装飾体を得るために多くのコストがかかってしまうという課題があった。
【０００８】
また、特許文献２に開示されている疑似エッチング模様形成法においては、基材に対する下塗り塗料の処理を施しているが、印刷模様層については、印刷インキ被膜に微細な凹凸を形成する、又は印刷インキ中に艶消し材を混入する、印刷インキ中に微細な気泡を入れる等の特殊な処理が必要となり、印刷インキの処理工程及び管理が必要となる。金属表面の光沢度は、印刷模様層上において５０％以下、印刷模様層以外において７０％以上とあるが、所望の光沢度差を得るためには、印刷インキの調整、及び下塗り塗料の選定をする必要がある。また、上記の処理をした印刷インキは、表面の粗さが印刷インキの処理により決まるため、複数の表面粗さを設けることができず、表面粗さにより微細な装飾をするのは困難であるという課題がある。
【０００９】
また、特許文献３に開示されている化粧材の製造方法においては、基材シートに艶消しコート層を形成することにより、金属蒸着層表面全体の光沢度を抑えるものであり、基材シートよりも平滑な面は得られないため、光沢度の高い部分を得るためには、艶消しコートではない他の塗料が必要となる。
【００１０】
本発明は、上記のような課題を解決するためになされたものであり、素材となる樹脂成形品の品質に影響されず、また印刷インキの特別な処理を必要とせずに、金属表面に所定の光沢差がある、金属感を有する装飾模様を施した装飾体を提供するものである。
【課題を解決するための手段】
【００１１】
本発明に係る装飾体は、基材と、該基材の表面に塗布された塗料層と、該塗料層の少なくとも一部の表面に印刷された複数の印刷要素と、前記塗料層と前記印刷要素との表面を覆う金属被膜層と、を備え、前記印刷要素の表面は、表面粗さが前記塗料層の表面よりも粗い。
【発明の効果】
【００１２】
本発明によれば、市場要求が強く技術的にも美術的にも難しいエッチングを施したような装飾模様を付した全体として金属感を有する装飾体を、コストを抑えて提供することができる。
【図面の簡単な説明】
【００１３】
【図１】本発明の実施の形態１における、金属感を有する微細模様を付した装飾体の断面の一例を示す模式図である。
【図２】本発明の実施の形態２における、金属感を有する微細模様を付した装飾体の断面の一例を示す模式図である。
【図３】本発明の実施の形態２における、装飾体の表面を垂直方向から見た模式図である。
【図４】図２に示されている白抜き矢印３０方向から斜めに装飾体の表面を見た時の模式図である。
【図５】図３に対して印刷要素の縦方向距離を０にしたときの図である。
【図６】図５に示されている白抜き矢印方向から斜めに装飾体の表面を見た時の模式図である。
【図７】本発明の実施の形態１における、金属感を有する微細模様を付した装飾体の断面の一例を示す模式図である。
【図８】本発明の実施の形態２における、印刷部の断面の一例を示す模式図である。
【図９】本発明の実施の形態２における、印刷部の断面の一例を示す模式図である。
【発明を実施するための形態】
【００１４】
［実施の形態１］
図１は、本発明の実施の形態１における、金属感を有する微細模様を付した装飾体１の断面の一例を示す模式図である。図１に示されるように、実施の形態１における、金属感を有する微細模様を付した装飾体１は、基材２、塗料層３、印刷要素４、金属被膜層５から構成されている。装飾体１の表面は、印刷要素４のある印刷部１０と、印刷要素４が無い非印刷部２０と、を有する。
【００１５】
＜基材２＞
基材２は、金属、プラスチック等の樹脂、石膏、木材等により構成される。また、基材２は、平面形状のものばかりでなく、曲面を有しても良く、さらには、柔軟性又は可撓性があっても良い。塗装、印刷をする工程に先立ち、基材２の被装飾面２ａは、清浄化処理が施される。基材２の材質により異なるが、通常実施されている各種の清浄化処理方法により行われる。
【００１６】
＜塗料層３＞
基材２の清浄化処理が行われた後に、基材２の被装飾面２ａ上に塗装を行うことにより、塗料層３を設ける。塗料層３は、基材２の被装飾面２ａを平滑化し、光沢を有するように処理される。塗料層３に使用する塗料は、粘度の低いものが用いられる。これにより、被装飾面２ａは、塗料の表面張力によるメニスカス表面により平坦化される。
【００１７】
＜印刷要素４＞
基材２の被装飾面２ａ上に塗料層３が設けられた後に、表面が平滑化された面の上に印刷により印刷要素４が設けられる。印刷要素４を構成するインキ又は塗料は、特に色彩を有する必要はない。被装飾面２ａが曲面の場合の印刷は、パッド印刷法により印刷される。被装飾面２ａが平面の場合の印刷は、スクリーン印刷等の通常の印刷方法でもよい。印刷または塗装後において、印刷要素４を構成するインキまたは塗料は、加熱、ＵＶ照射、又はインキ若しくは塗料の組成自体による固定化の働きにより固定化される。固定化されたインキまたは塗料は、後工程において金属被覆により冒されるのを十分避け得る組成のものである。印刷要素４は、図１に示されるように印刷部１０において複数設けられていても良い。
【００１８】
装飾体１の表面に光沢度の差により形成された微細模様を設けるにあたり、装飾体１の金属被膜層５が設けられる前の印刷部１０は、金属被膜層５が設けられる前の非印刷部２０、すなわち塗料層３の表面よりも表面粗さが粗く、かつ適度の表面粗さを有することが最終の微細模様を認識させるために極めて重要である。金属被膜層５が設けられる前の印刷部１０が適度の表面粗さを得るにあたり、実施の形態１においては、塗料層３上の印刷要素４の表面粗さにより印刷部１０を所定の表面粗さにする。印刷要素４は、例えばオフセット印刷により塗料層３の表面に設けられる。
【００１９】
例えば、シリコンゴムから構成される印刷用ブランケットの表面を印刷要素４が載せられた印刷原版に押し付けることにより、印刷要素４が印刷用ブランケットの表面に転写される。印刷用ブランケットに転写された印刷要素４は、印刷用ブランケットが装飾体１の塗料層３の塗料層表面３ａに押し付けられることにより、塗料層表面３ａに転写される。この時、印刷要素４の上側表面１４は、印刷用ブランケットの表面の凹凸が転写されており、塗料層表面３ａ及び印刷要素４の間の塗料層表面３ｂよりも面粗度が粗くされている。また、印刷要素４の側部１５も印刷用ブランケットの表面の凹凸が転写されていてもよい。ただし、印刷要素４に使用されるインキ又は塗料の粘度が少なすぎると印刷要素４の表面の凹凸が平坦化されてしまうため、印刷要素４の上側表面１４及び側部１５と、周囲の塗料層表面３ａ、３ｂとの表面粗さの差が生じにくくなる。一方、印刷要素４に使用されるインキ又は塗料の粘度が大きすぎると、印刷要素４の上側表面１４及び側部１５に大きな波状紋が生じるため、所望の表面粗さが得られない。実験の結果、金属被膜層５の表面に微細模様を得るために必要なインキ又は塗料の粘度は、好ましくは１５〜１００Ｐａ・ｓである。一方、通常使用されるインキ又は塗料の粘度は、粘性係数μが１０〜５００Ｐａ・ｓである。
【００２０】
また、上記のように粘度によって表面粗さを維持する代わりに、インキ又は塗料に微粒子の粉体を混入させても良い。これにより印刷要素４の表面に所望の表面粗さを得ることができる。なお、インキ等の粘度や微粒子の混入により得られる印刷要素４の表面の粗さは、好ましくはＲａ０．１〜５μｍとする。
【００２１】
＜金属被膜層５＞
塗料層３の上に印刷要素４が設けられた後に、塗料層３及び印刷要素４の上に金属被膜層５が設けられる。金属被膜層５は、金属無電解メッキ、金属真空蒸着、金属イオンプレーティング、または電気金属メッキ等の方法にて設けられる。金属被膜層５に用いられる金属としては、Ｔｉ、Ｎｉ、Ｃｕ、Ａｕ、Ａｇ、Ｐｔ、Ｒｈ、Ｐｄ等の装飾性のある金属が、装飾体１のデザインに応じて選択される。また、真空蒸着やイオンプレーティングによる場合には適当な色彩色素を併合して処理することにより、金属感が有り、しかも独特の色彩を有する装飾面を作成することができる。
【００２２】
上記のように上側表面１４及び側部１５の面粗度が塗料層３の塗料層表面３ａより粗い印刷要素４の表面に金属被膜層５が形成されることにより、上側表面１４の上に形成された金属被膜層５の天面５ａ及び側部１５の上に形成された金属被膜層５の側面５ｃも表面が粗くなる。これにより、金属被膜層５の天面５ａ及び側面５ｃは、周囲の塗料層表面３ａの上に形成された金属被膜層５である地肌面５ｂ、５ｄよりも光沢が低く見える。この光沢の低い部分を組み合わせて装飾模様とすることにより、微細模様を付した全体として金属感を有する装飾体を、コストを抑えて提供することができる。
【００２３】
［実施の形態２］
実施の形態２においては、実施の形態１に対し、印刷要素４を所定の配列にし、装飾体１の表面を見る角度により、装飾模様の見え方が変わるようにしたものである。以下実施の形態１に対する変更点を中心に説明する。
【００２４】
図２は、本発明の実施の形態２における、金属感を有する微細模様を付した装飾体１の断面の一例を示す模式図である。図３は、本発明の実施の形態２における、装飾体１の表面を垂直方向から見た模式図である。図３においては、金属被膜層５は明示されていないが、印刷要素４及び塗料層３の表面は、金属被膜層５により覆われている。図２において、金属被膜層５に覆われた各印刷要素４の間の距離を距離Ｌとしている。距離Ｌは、金属被膜層５に覆われた各印刷要素４の間の距離を代表的に表したものであり、装飾体１の断面を取る方向に応じ、例えば図３においては、距離Ｌ１及び距離Ｌ２に相当するものである。印刷要素４のそれぞれの大きさは、図３において横方向寸法Ａ、縦方向寸法Ｂとなっている。図３は、装飾体１の表面を拡大して表した模式図であるため、金属被膜層５により覆われた各印刷要素４は視認可能な大きさに示されているが、実際の装飾体１を表面の垂直方向から見ると金属被膜層５により覆われた各印刷要素４は、通常の人が手に持って肉眼で観察しても視認できない程度の横方向寸法Ａ、縦方向寸法Ｂに設定されている。横方向寸法Ａ及び縦方向寸法Ｂは、例えば、１μｍ〜４μｍに設定される。
【００２５】
そして、実施の形態２において各印刷要素４の間の距離Ｌ１及びＬ２は、例えば、印刷要素４の高さＨ以上の値となっている。なお、印刷要素４は、金属被膜層５に覆われているため、図３に示されるように高さＨは塗料層３の上の金属被膜層５の表面から印刷要素４の上側表面１４までの高さである。なお、金属被膜層５は、全体にほぼ均一に設けられているため、高さＨは実質的に印刷要素４の塗料層表面３ａからの高さ寸法と同じになる。また、印刷部１０は、印刷要素４が占める面積よりも地肌面５ｂが占める面積が大きい。そのため、印刷部１０を表面の垂直方向から見ると、印刷要素４の集合により構成される装飾模様は肉眼では視認できないか、又はきわめて薄く視認できる程度である。
【００２６】
図４は、図３に示されている白抜き矢印３０方向から斜めに装飾体１の表面を見た時の模式図である。すなわち、図３の横方向に、表面に対し斜め上から装飾体１の表面を見ている。また、図２においては、矢印８で示される角度から金属被膜層５に覆われた印刷要素４を見ていることになる。図４のように装飾体１の表面を斜め方向から見ると、金属被膜層５に覆われた印刷要素４の高さＨにより、隣接する印刷要素４と重なる。すると、見ている方向に向かって印刷要素４と直列に並んでいる地肌面５ｂは、手前側にある金属被膜層５に覆われた印刷要素４の高さＨにより隠され、見えなくなる。すると、印刷部１０における、金属被膜層５に覆われた印刷要素４が占める面積は、見た目上増加し、地肌面５ｂの占める面積は、見た目上減少する。この時、重なっている複数の印刷要素４は視認しやすくなるため、金属被膜層５で覆われた印刷要素４の集合が形成している装飾模様が視認できるようになる。この時、金属被膜層５で覆われた印刷要素４の集合は、その金属被膜層５で覆われた天面５ａ及び側面５ｃが塗料層３の表面を覆っている地肌面５ｂ、５ｄよりも光沢が低いため、光沢の低い装飾模様が視認できることになる。
【００２７】
また、図２における、矢印８ａで示される角度、すなわち矢印８よりも垂直に近い角度から金属被膜層５に覆われた印刷要素４を見ると、金属被膜層５に覆われた印刷要素４の間の地肌面５ｂが見える。地肌面５ｂが見えるものの、垂直よりも斜めに印刷要素４の集合を見ているため、見かけ上、印刷部１０において金属被膜層５に覆われた印刷要素４の占める面積が増加している。よって、金属被膜層５に覆われた印刷要素４の間の距離Ｌの設定にもよるが、装飾模様は、装飾体１の表面に垂直な方向から見るよりは視認しやすくなる。
【００２８】
なお、図４は、図３の白抜き矢印３０方向から、装飾体１の表面の法線に対し斜め方向から見ている図だが、図３の縦方向に向いている白抜き矢印３１方向から見た場合においても、装飾体１の表面の法線に対し斜め方向の所定の角度から見れば図３に示されるのと同じように印刷要素４が重なって見える。また、図３の白抜き矢印３２の方向から見た場合においても、装飾体１の表面の法線に対し斜め方向の所定の角度から見れば、印刷要素４が重なって見えるが、この場合は、印刷要素４間は斜め方向距離Ｌ３となり、白抜き矢印３０及び白抜き矢印３１の場合と較べて長い。
【００２９】
図３において金属被膜層５に覆われた印刷要素４は、横方向の距離Ｌ１、縦方向の距離Ｌ２の間隔をおいて配置されている。横方向の距離Ｌ１及び縦方向の距離Ｌ２は、図２においてはＬで示されているものである。横方向の距離Ｌ１及び縦方向の距離Ｌ２は、それぞれ等しくても良く、また、異なる値であっても良い。ただし、装飾体１の表面に平行な方向において、少なくとも１方向には所定の間隔を取っている必要がある。
【００３０】
金属被膜層５に覆われた各印刷要素４間の距離Ｌ（横方向距離Ｌ１及び縦方向距離Ｌ２のうち少なくとも一方）は、遠いほど、装飾体１の表面の法線に対し大きい角度の斜め方向から見ないと隣接する金属被膜層５に覆われた印刷要素４が重ならない。逆に距離Ｌが近ければ、装飾体１の表面の法線に対し小さい角度の斜め方向から見るだけで隣接する金属被膜層５に覆われた印刷要素４が重なる。つまり、距離Ｌの寸法を調整することにより、金属被膜層５に覆われた印刷要素４が複数集合して形成している装飾模様を視認できる斜め方向の角度が調整できる。ただし、距離Ｌが小さすぎると、装飾体１の表面のほぼ垂直方向から視認できてしまうため、距離Ｌは金属被膜層５に覆われた印刷要素４の高さＨ以上の値を取ることが望ましい。印刷要素４の高さＨは１〜２μｍを取ることが可能であるため、具体的には、横方向距離Ｌ１又は縦方向距離Ｌ２が高さＨ以上の値で１〜４μｍの範囲に設定することが望ましい。つまり、金属被膜層５に覆われた各印刷要素４間の横方向距離Ｌ１又は縦方向距離Ｌ２は、印刷要素４の高さＨ以上で高さＨの４倍以下の範囲で設定することが望ましい。なお、金属被膜層５の厚さは０．１μｍ〜２μｍとすることができるため、金属被膜層５が設けられる前の各印刷要素４の間の距離は、金属被膜層５の厚さの２倍の寸法だけ距離を離して印刷すればよい。
【００３１】
また、印刷部１０は、異なる複数の距離Ｌが設定されている複数の領域を備えていても良い。距離Ｌが異なる領域があることにより、装飾体１の表面を見る角度に応じて印刷要素４が重なって見える部分とそうでない部分とができるため、見る角度により異なる装飾模様に見えることになる。
【００３２】
図５は、図３に対して印刷要素４の縦方向距離Ｌ２を０にしたときの図である。図６は、図５に示されている白抜き矢印方向から斜めに装飾体１の表面を見た時の模式図である。実施の形態１において、印刷要素４は、例えば図５のように縦方向距離Ｌ２を０又は０に近い値にとり、印刷要素４が縦方向に隣接して配置してもよい。ただし、このとき、横方向距離Ｌ１は、所定の間隔だけ離れている。図５の白抜き矢印方向から斜めに装飾体１の表面を見ると、図６に示すように印刷部１０ａの地肌面５ｂは見えず、印刷部１０ａは全て金属被膜層５に覆われた印刷要素４で占められているように見える。この時、印刷部１０ａは、金属被膜層５に覆われた印刷要素４の集合により形成されている装飾模様が視認できる。なお、図５及び図６においては、縦方向距離Ｌ２を全て０にしているが、装飾模様の仕様により、部分的に縦方向距離Ｌ２を大きく取る部分を設けても良い。
【００３３】
また、図３及び図５においては、印刷要素４は、装飾体１の表面の法線方向から見た際に四角形で表されているが、円形、楕円形、三角形、その他の形状であっても良い。印刷要素４の形状が、様々な形状を取ったとしても、印刷要素４の高さＨと印刷要素４間の距離Ｌの値により、装飾体１の表面の法線方向に対し斜め方向から視認した際に印刷要素４が重なる様に配置することができる。
【００３４】
また、印刷要素４は、単独では視認できない、又は視認しにくいものであれば良く、大きさは限定されない。さらには、印刷要素４の上側表面１４及び側部１５の面粗度を調整し、例えば周囲の塗料層表面３ａ、３ｂとの面粗度の差を小さくすれば金属被膜層５により覆われた印刷要素４は単独で視認しにくくなる。これにより適宜印刷要素４の大きさを変更することもできる。
【００３５】
また、印刷部１０は、印刷要素４の間の距離Ｌ１、Ｌ２が異なる複数の領域により構成されても良い。さらには、印刷部１０は、複数の大きさ（基材表面方向の大きさ）を備える印刷要素４により構成されても良い。印刷要素４の間の距離Ｌ１、Ｌ２及び印刷要素４の大きさを自由に調整することにより、所定の領域に設けられる複数の印刷要素４の配置密度を調整することができる。
【００３６】
図７は、本発明の実施の形態２における、金属感を有する微細模様を付した装飾体１の断面の一例を示す模式図である。図７は、図１と異なり、ここでの印刷要素４は２つのインキ又は塗料が重なって構成されるものである。図１に示されている印刷要素４の高さは、例えば１〜２μｍであるが、図４の印刷要素４は、２つのインキ又は塗料が重なり、高さが高く構成されているため、印刷部１０が有する凹凸の高低差が大きい。印刷部１０の面積が小さい場合であって、印刷要素４の数量が少ない領域においても、凹凸が大きくすることができる。これにより、印刷部１０を斜めから見たときに、装飾体１の表面に垂直方向からの角度がより小さい角度で、金属被膜層５により覆われた印刷要素４の重なるようにすることができる。
【００３７】
図８及び図９は、本発明の実施の形態２における、印刷部１０の断面の一例を示す模式図である。図３〜図７においては、印刷要素４の形状を矩形に表しているが、実際の印刷要素４は、厳密に矩形で無くとも良い。印刷要素４の立体的な形状は、例えば、略円錐台、略四角錐台のような、図の上から下に向かって広がる形状であっても良い。また、楕円体の一部を切り取った様な形状でも良い。これらの形状の場合であっても、例えば図８の印刷要素４ａ、４ｂのように、印刷部１０を斜めから見たときに、装飾体１の表面に垂直方向からの角度が、小さいときは地肌面５ｂが見えて、大きいときには金属被膜層５に覆われた印刷要素４ａ、４ｂが重なるように見えるように配置されていればよい。つまり、地肌面５ｂが見える時には、図８に示されている矢印８ａの角度で見ていることになる。また、印刷要素４ａ、４ｂが重なる様に見える時は、図８に示されている矢印８の角度で見ていることになる。また、図９の印刷要素４ｅ〜４ｈのように楕円体の一部を切り取った様な形状の場合であっても、印刷部１０を斜めから見たときに、装飾体１の表面に垂直方向からの角度が、小さいときは地肌面５ｂが見えて、大きいときには金属被膜層５に覆われた印刷要素４ｅ、４ｆが重なるように見えるように配置されていればよい。これらのように、印刷要素４ａ〜４ｈが矩形では無い形状の場合であっても、印刷要素４ａ〜４ｈの上側表面１４及び側部１５は表面粗さが塗料層３よりも粗くされている。そのため、図２に示された印刷要素４の場合と同様に、装飾体１の表面を見る角度により、周辺より光沢の低い装飾模様が視認できる。
【００３８】
＜効果＞
実施の形態１〜２に係る装飾体１は、基材２と、基材２の表面に塗布された塗料層３と、塗料層３の少なくとも一部の表面に印刷された複数の印刷要素４と、塗料層３と印刷要素４との表面を覆う金属被膜層５と、を備える。そして、印刷要素４の表面（印刷要素４の上側表面１４及び側部１５）は、表面粗さが塗料層３の表面（塗料層表面３ａ、３ｂに相当）よりも粗い。
このように構成されることにより、印刷部１０の印刷要素４の上に形成された金属被膜層５は凹凸形状を有し、塗料層表面３ａ、３ｂに形成された金属被膜層５よりも表面粗さが粗くなっている。これにより、金属被膜層５が設けられた印刷要素４の表面（印刷要素４の上側表面１４及び側部１５）は、凹凸形状により光沢度が低くなり、金属の表面にエッチングを施したように見える。また、塗料層表面３ａ、３ｂ上の金属被膜層５は、表面が平坦であるため印刷要素４の表面上に設けられた金属被膜層５の表面（天面５ａ及び側面５ｃに相当）と比較して光沢度が高い。これにより、エッチングを施したような装飾模様が付された全体として金属感を有する装飾体を、コストを抑えて提供することができる。
【００３９】
また、金属被膜層５に覆われた印刷要素４は、基材２の表面に平行である少なくとも１方向において、隣の金属被膜層５に覆われた印刷要素４と間隔を持って配置され、複数集合して装飾模様を構成する。
このように構成されることにより、装飾体１の表面を垂直方向から見た時には、金属被膜層５に覆われた印刷要素４により構成された装飾模様が視認しにくく、装飾体１の表面の垂直方向に対して所定角度傾いた方向から見た際には、隣合った金属被膜層５に覆われた印刷要素４の間の地肌面５ｂが隠されて、金属被膜層５に覆われた印刷要素４により構成された装飾模様が視認できるようになる。エッチングを施したような装飾模様を付した全体として金属感を有する装飾体が得られるだけでなく、見る角度により、装飾模様が異なって見える装飾体が得られる。
【００４０】
また、基材２の表面に平行である少なくとも１方向において、隣接する複数の金属被膜層５に覆われた印刷要素４の間の距離Ｌは、印刷要素４の塗料層３の表面からの高さＨ以上であり、高さＨの４倍以下であっても良い。
このように構成されることにより、上記と同様に見る角度により装飾模様が異なって見える装飾体を確実に得ることができる。
【００４１】
また、印刷要素４の基材２の表面に平行方向の大きさは、印刷要素４の塗料層３の表面からの高さＨ以下であってもよい。
このように構成されることにより、装飾体１の表面を垂直方向から見た時には、金属被膜層５の表面に装飾模様はより視認しにくくなる。なお、装飾体１の表面の垂直方向に対して所定角度傾いた方向から見た際には金属被膜層５に覆われた印刷要素４により構成された装飾模様が視認できる。
【００４２】
また、印刷要素４が、複数のインキ層により構成されても良い。
このように構成されることにより、複数のインキの層により印刷要素４の高さを高くすることができる。この場合、金属被膜層５をした後においてこの印刷部１０は、印刷要素４の数量が少ない領域においても、凹凸形状を大きくすることができる。これにより、金属被膜層５に覆われた印刷要素４は、基材２の表面に垂直方向から見た時には視認されにくく、垂直方向から所定の角度だけ斜め方向から見た時に装飾模様が見えるようにするのに有利である。
【００４３】
また、複数の前記印刷要素が配置されている領域である印刷部１０は、インキ層の数が異なる複数の領域を有していても良い。
このように複数の高さの異なる印刷要素４を設けることにより、金属被膜層５が設けられた後の印刷部１０は、角度により見え方の異なる領域が形成される。さらには、印刷部１０は、印刷要素４の間の距離Ｌ及び印刷要素４の大きさと併せて、印刷要素４の高さも変化させた複数の領域を設けても良い。このような構成により、装飾体１の表面に見る角度により変化のある装飾模様を形成することができる。
【００４４】
また、複数の前記印刷要素が配置されている領域である印刷部１０は、印刷要素４の間隔が異なる複数の領域を有しても良い。
これにより、金属被膜層５が設けられた後の印刷部１０は、複数の見え方の異なる領域が形成されるため、見る角度により模様が変化する装飾模様を形成することができる。印刷部１０の見る角度による装飾模様の見え方は、前述したように、印刷要素４の間の距離Ｌ及び印刷要素４の大きさの少なくとも一方を自由に調整することにより、変化させることができる。これにより、金属被膜層５が設けられた後の印刷部１０は、変化のある微細装飾を施すことができ、微細装飾の形状の自由度も増すという効果が得られる。
【００４５】
また、印刷要素４は、基材２の表面に平行な方向の寸法が１〜４μｍである。この範囲内で印刷要素４の大きさを調整しつつ、印刷要素４間の距離、印刷要素４の高さも併せて調整することができる。これにより、金属被膜層５の表面に、見る角度により変化のある微細装飾を施すことができ、微細装飾の形状の自由度も増すという効果が得られる。
【００４６】
なお、金属被膜層５の厚さは、厚過ぎては金属被膜層５を設ける前の印刷部１０の表面粗さの効果が削減されてしまい、また、薄過ぎては十分に金属被膜層５がゆきわたらないおそれがある。そのため、金属被膜層５の厚さは、０．１〜２μｍ程度が好ましい。
【符号の説明】
【００４７】
１  装飾体、２  基材、２ａ  被装飾面、３  塗料層、３ａ  塗料層表面、３ｂ  塗料層表面、４  印刷要素、４ａ〜４ｈ  印刷要素、５  金属被膜層、５ａ  天面、５ｂ  地肌面、５ｃ  側面、５ｄ  地肌面、８  矢印、８ａ  矢印、１０  印刷部、１０ａ  印刷部、１４  上側表面、１５  側部、２０  非印刷部、３０〜３２  白抜き矢印、Ａ  高さ、Ｌ  距離、Ｌ１  （横方向）距離、Ｌ２  （縦方向）距離、Ｌ３  （斜め方向）距離、μ  粘性係数。
【図１】
2019093560.tif 000003
【図２】
2019093560.tif 000004
【図３】
2019093560.tif 000005
【図４】
2019093560.tif 000006
【図５】
2019093560.tif 000007
【図６】
2019093560.tif 000008
【図７】
2019093560.tif 000009
【図８】
2019093560.tif 000010
【図９】
2019093560.tif 000011